【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
太陽光線からエネルギーを収集するための蓄熱装置、
一次ミラー、及び
二次ミラー
を備えた集光型ソーラーパワーデバイスであって、一次ミラーは二次ミラーに向かって太陽光線を反射し、二次ミラーは蓄熱装置に向かって太陽光線を反射する、ソーラーパワーデバイス。
【請求項２】
蓄熱装置がハウジング内部に蓄熱材を含んでおり、この蓄熱材が太陽光線を吸収してエネルギーを蓄積する、請求項１に記載のソーラーパワーデバイス。
【請求項３】
蓄熱装置が一次ミラーに取り付けられている、請求項１に記載のソーラーパワーデバイス。
【請求項４】
一次ミラーの中央に開口が画定されており、蓄熱装置のレンズがこの開口の真後ろに位置合わせされている、請求項１に記載のソーラーパワーデバイス。
【請求項５】
一次ミラーが二次ミラーより実質的に大きく、二次ミラーが一次ミラーの中央に位置合わせされて且つ一次ミラーの中央から離間している、請求項１に記載のソーラーパワーデバイス。
【請求項６】
蓄熱装置が複数のスターリングエンジンに取り付けられるように構成されている、請求項１に記載のソーラーパワーデバイス。
【請求項７】
スターリングエンジンの各々が、水素及びヘリウムのうちの少なくとも一つを含む熱媒体を含んでいる、請求項６に記載のソーラーパワーデバイス。
【請求項８】
蓄熱装置が、吸収冷凍発生器、ガス発生器、燃料電池、電気装置、及び機械装置のうちの少なくとも一つの蓄熱装置内部のコイルに取り付けられるように構成されている、請求項１に記載のソーラーパワーデバイス。
【請求項９】
蓄熱装置によって収集されたエネルギーは、前記吸収冷凍発生器、前記ガス発生器、前記燃料電池、前記電気装置、及び前記機械装置のうちの少なくとも一つに動力を供給する、請求項８に記載のソーラーパワーデバイス。
【請求項１０】
熱伝達流体、ポンプ、又はバルブのいずれをも使用しない、請求項１に記載のソーラーパワーデバイス。
【請求項１１】
太陽光線からエネルギーを収集する方法であって、
一次ミラー、二次ミラー、及び蓄熱装置を備えたソーラーパワーデバイスを供給すること、
一次ミラーから二次ミラーに向かって太陽光線を反射させること、
一次ミラーから反射された太陽光線を、二次ミラーから蓄熱装置に向かって反射させること、及び
二次ミラーから蓄熱装置に向かって反射された太陽光線を使用して、蓄熱装置によりエネルギーを収集すること
を含む方法。
【請求項１２】
供給された蓄熱装置が、ハウジング内部に配置された蓄熱材を更に備え、収集するステップの間に、蓄熱材が太陽光線を吸収してエネルギーを蓄積する、請求項１１に記載の方法。
【請求項１３】
供給された蓄積装置が、供給された一次ミラーに取り付けられる、請求項１１に記載の方法。
【請求項１４】
供給された蓄熱装置を複数のスターリングエンジンに取り付けるステップ、及び蓄熱装置によって収集されたエネルギーを使用して複数のスターリングエンジンを稼動させるステップを更に含む、請求項１１に記載の方法。
【請求項１５】
吸収冷凍発生液、ガス発生器、燃料電池、電気装置、及び機械装置のうちの少なくとも一つの蓄熱装置内部のコイルに、供給された蓄熱装置を取り付けるステップを更に含む、請求項１１に記載の方法。
【請求項１６】
前記収集したエネルギーを使用して、蓄熱装置が、前記吸収冷凍発生器、前記ガス発生器、前記燃料電池、前記電気装置、及び前記機械装置のうちの少なくとも一つに動力を供給するステップを更に含む、請求項１５に記載の方法。
【請求項１７】
供給されたソーラーパワーデバイスが、熱伝達流体、ポンプ、又はバルブのいずれをも含まない、請求項１１に記載の方法。
【請求項１８】
供給されたソーラーパワーデバイスが、熱伝達流体、ポンプ、又はバルブを持たないことと、反射損失を低減させることとによって、効率を上昇させるステップを更に含む、請求項１７に記載の方法。
【請求項１９】
供給されたソーラーパワーデバイスが１０時間以上稼動するステップを更に含む、請求項１８に記載の方法。
【手続補正２】
【補正対象書類名】明細書
【補正対象項目名】００２１
【補正方法】変更
【補正の内容】
【００２１】
言うまでもなく、上述の説明は本発明の例示的実施形態に関するものであり、特許請求の範囲に規定される本発明の理念及び範囲から逸脱することなく、変更を加えることが可能である。
また、本願は以下に記載する態様を含む。
（態様１）
太陽光線からエネルギーを収集するための蓄熱装置、
一次ミラー、及び
二次ミラー
を備えた集光型ソーラーパワーデバイスであって、一次ミラーは二次ミラーに向かって太陽光線を反射し、二次ミラーは蓄熱装置に向かって太陽光線を反射する、ソーラーパワーデバイス。
（態様２）
蓄熱装置がハウジング内部に蓄熱材を含んでおり、この蓄熱材が太陽光線を吸収してエネルギーを蓄積する、態様１に記載のソーラーパワーデバイス。
（態様３）
蓄熱材が、塩（硝酸ナトリウム及びカリウム）、黒鉛、炭素、溶融炭酸塩、及び／又はシリコン砂のうちの少なくとも一つを含んでいる、態様２に記載のソーラーパワーデバイス。
（態様４）
蓄熱装置が一次ミラーに取り付けられている、態様１に記載のソーラーパワーデバイス。
（態様５）
一次ミラーの中央に開口が画定されており、蓄熱装置のレンズがこの開口の真後ろに位置合わせされている、態様１に記載のソーラーパワーデバイス。
（態様６）
レンズが高透過合わせガラス組成物から作製されている、態様５に記載のソーラーパワーデバイス。
（態様７）
一次ミラーが二次ミラーより実質的に大きく、二次ミラーが一次ミラーの中央に位置合わせされて且つ一次ミラーの中央から離間している、態様１に記載のソーラーパワーデバイス。
（態様８）
蓄熱装置が複数のスターリングエンジンに取り付けられるように構成されている、態様１に記載のソーラーパワーデバイス。
（態様９）
スターリングエンジンの各々が、水素及びヘリウムのうちの少なくとも一つを含む熱媒体を含んでいる、態様８に記載のソーラーパワーデバイス。
（態様１０）
蓄熱装置が、吸収冷凍発生器、ガス発生器、燃料電池、電気装置、及び機械装置のうちの少なくとも一つの蓄熱装置内部のコイルに取り付けられるように構成されている、態様１に記載のソーラーパワーデバイス。
（態様１１）
蓄熱装置によって収集されたエネルギーは、前記吸収冷凍発生器、前記ガス発生器、前記燃料電池、前記電気装置、及び前記機械装置のうちの少なくとも一つに動力を供給する、態様１０に記載のソーラーパワーデバイス。
（態様１２）
熱伝達流体、ポンプ、又はバルブのいずれをも使用しない、態様１に記載のソーラーパワーデバイス。
（態様１３）
熱伝達流体、ポンプ、又はバルブを持たないことと、反射損失を低減させることとにより、効率を上昇させる、態様１２に記載のソーラーパワーデバイス。
（態様１４）
１０時間以上の稼動が可能である、態様１３に記載のソーラーパワーデバイス。
（態様１５）
太陽光線からエネルギーを収集する方法であって、
一次ミラー、二次ミラー、及び蓄熱装置を備えたソーラーパワーデバイスを供給すること、
一次ミラーから二次ミラーに向かって太陽光線を反射させること、
一次ミラーから反射された太陽光線を、二次ミラーから蓄熱装置に向かって反射させること、及び
二次ミラーから蓄熱装置に向かって反射された太陽光線を使用して、蓄熱装置によりエネルギーを収集すること
を含む方法。
（態様１６）
供給された蓄熱装置が、ハウジング内部に配置された蓄熱材を更に備え、収集するステップの間に、蓄熱材が太陽光線を吸収してエネルギーを蓄積する、態様１５に記載の方法。
（態様１７）
蓄熱材が、塩（硝酸ナトリウム及びカリウム）、黒鉛、炭素、溶融炭酸塩、及び／又はシリコン砂のうちの少なくとも一つを含んでいる、態様１６に記載の方法。
（態様１８）
供給された蓄積装置が、供給された一次ミラーに取り付けられる、態様１５に記載の方法。
（態様１９）
供給されたソーラーパワーデバイスの一次ミラーの中央に開口が画定され、供給された蓄熱装置のレンズがこの開口の真後ろに位置合わせされる、態様１５に記載の方法。
（態様２０）
レンズが高透過合わせガラスから作製される、態様１９に記載の方法。
（態様２１）
供給された一次ミラーが供給された二次ミラーより実質的に大きく、供給された二次ミラーが供給された一次ミラーの中央に位置合わせされて且つ一次ミラーの中央から離間している、態様１５に記載の方法。
（態様２２）
供給された蓄熱装置を複数のスターリングエンジンに取り付けるステップ、及び蓄熱装置によって収集されたエネルギーを使用して複数のスターリングエンジンを稼動させるステップを更に含む、態様１５に記載の方法。
（態様２３）
複数のスターリングエンジンの各々が、水素及びヘリウムのうちの少なくとも一つを含む熱媒体を含む、態様２２に記載の方法。
（態様２４）
吸収冷凍発生液、ガス発生器、燃料電池、電気装置、及び機械装置のうちの少なくとも一つの蓄熱装置内部のコイルに、供給された蓄熱装置を取り付けるステップを更に含む、態様１５に記載の方法。
（態様２５）
前記収集したエネルギーを使用して、蓄熱装置が、前記吸収冷凍発生器、前記ガス発生器、前記燃料電池、前記電気装置、及び前記機械装置のうちの少なくとも一つに動力を供給するステップを更に含む、態様２４に記載の方法。
（態様２６）
供給されたソーラーパワーデバイスが、熱伝達流体、ポンプ、又はバルブのいずれをも含まない、態様１５に記載の方法。
（態様２７）
供給されたソーラーパワーデバイスが、熱伝達流体、ポンプ、又はバルブを持たないことと、反射損失を低減させることとによって、効率を上昇させるステップを更に含む、態様２６に記載の方法。
（態様２８）
供給されたソーラーパワーデバイスが１０時間以上稼動するステップを更に含む、態様２７に記載の方法。